(57)【要約】
【課題】水を含浸させたスポンジ等の水吸収性材料でゴルフボールの表面に付着した泥汚れやゴミ、草汁の汚れ等を拭き取る際に、その水吸収性材料中から多量の水が搾り出されることを防止することができると同時に、ゴルフボールの表面に付着した汚れやゴミを確実に除去することができるゴルフボール拭き具を提供する。
【解決手段】水を含浸したスポンジやメラミンフォーム等の水吸収性材料２を装填するケース３と、ゴルフボールＧを半球分より小さい表面積だけケース３内に突出させる穴５を設けた受座４とを備えている。
【選択図】図２
0003100058.tif 000002
【実用新案登録請求の範囲】
【請求項１】
水を含浸させた水吸収性材料でゴルフボールの表面に付着した汚れを拭き取るゴルフボール拭き具において、水吸収性材料を装填するケースと、ゴルフボールを半球分より小さい表面積だけ前記ケース内に突出させる穴を設けた受座とを備えていることを特徴とするゴルフボール拭き具。
【請求項２】
前記受座が、前記ケースの開閉蓋となっている請求項１記載のゴルフボール拭き具。
【請求項３】
前記穴が、ゴルフボールの直径よりも数ミリ程度小さい直径を有した円形穴である請求項１又は２記載のゴルフボール拭き具。
【請求項４】
前記ケースに装填する水吸収性材料が、メラミンウレタン樹脂を素材とした軟質フォームである請求項１、２又は３記載のゴルフボール拭き具。
　
　
　
【考案の詳細な説明】
【技術分野】
【０００１】
本考案は、水を含浸させた水吸収性材料でゴルフボールの表面に付着した汚れを拭き取るゴルフボール拭き具に関する。
【背景技術】
【０００２】
ゴルフのプレイ中にゴルフボールの表面に付着した泥汚れやゴミ、草汁等の汚れは、ゴルファーに同行するキャディーが濡れタオルなどで拭き取るのが一般的であるが、キャディーを伴なわずにプレイするときは、ゴルファーが自ら汚れを拭き取らなければならないので、例えばグリーン上でパッティングする前にそのグリーン上のボールが在る位置まで一々濡れタオルを持参しなければならないという面倒がある。
【０００３】
そのため、ゴルファーが腰のベルトに引掛けて持ち歩くことができる携帯用のゴルフボール拭き具も提案されているが（特許文献１参照）、この拭き具は、ベルトに引掛けるフックを設けたホルダーで保持されるスポンジ等の水吸収性材料に水を含浸させ、その水吸収性材料にゴルフボールを押し当てて擦り付けることにより、ゴルフボールの表面に付着した汚れを拭き取るようになっている。
【０００４】
【特許文献１】特開２００２−１３６６２２号公報
【０００５】
しかしながら、水を含浸したスポンジにゴルフボールを押し当てて擦り付けると、そのスポンジ中から水が搾り出されて、ゴルフボールの表面やゴルファーの指先にプレイに支障を来たすほど多量の水が付着するために、結局、その付着した水を拭き取るために乾いたタオルやハンカチを使用しなければならないという欠陥があり、したがって、特許文献１のホルダーはタオル掛けの機構も装備している。
【０００６】
また、ゴルフボールをホルダーで保持されたスポンジに強く押し当てて擦り付けると、スポンジに含浸された水が一挙に搾り出されるため、その搾り出された水がホルダーから溢れ落ちて衣服を濡らすおそれがあると同時に、プレイの途中でスポンジに含浸させる水を補給しなければならなくなるという不便がある。
【０００７】
また、スポンジに含浸された水を搾り出さないようにそのスポンジにゴルフボールを軽く押し当てて擦り付ける程度では、ゴルフボールの表面に付着した汚れを確実に除去することは困難である。
【考案の開示】
【考案が解決しようとする課題】
【０００８】
本考案が解決しようとする課題は、スポンジ等の水吸収性材料に含浸された水を搾り出すことなく、その水吸収性材料によってゴルフボールの表面に付着した汚れを確実に拭き取れるようにすることにある。
【課題を解決するための手段】
【０００９】
上記課題を解決するために、本考案は、水を含浸させた水吸収性材料でゴルフボールの表面に付着した汚れを拭き取るゴルフボール拭き具において、水吸収性材料を装填するケースと、ゴルフボールを半球分より小さい表面積だけ前記ケース内に突出させる穴を設けた受座とを備えていることを特徴とする。
【考案の効果】
【００１０】
本考案のゴルフボール拭き具は、ケース内に装填された水吸収性材料に水を含浸させ、受座に設けられた穴にゴルフボールを押し当てて、そのゴルフボールを指先で全方位方向に回転させると、ゴルフボールの表面に付着した泥汚れや草汁の汚れが、水吸収性材料によって拭き取られると同時に、受座に設けられた穴の縁によって土の塊やゴミなどもこさぎ取られる。また、ゴルフボールは、受座に設けられた穴によりケース内に装填された水吸収性材料に対して一定以上強く押し当てることができないように規制されるので、水吸収性材料から多量の水が搾り出されることがない。
【００１１】
したがって、ゴルフボールの表面に付着した汚れを確実に拭き取ることができると同時に、水吸収性材料から多量の水が搾り出されて、ゴルフボールの表面や指先がプレイに支障を来たすほど水濡れすることを確実に防止できる。
【考案を実施するための最良の形態】
【００１２】
本考案に係るゴルフボール拭き具の最良の実施形態は、水を含浸させた水吸収性材料を装填するケースと、ゴルフボールを半球分より小さい表面積だけ前記ケース内に突出させる穴を設けた受座とを備え、該受座が、ケース内に装填された水吸収性材料の洗浄や交換を容易にするためにそのケースの開閉蓋となっており、また、受座に設ける穴が、ゴルフボールの直径よりも数ミリ程度小さい直径を有した円形穴で成り、更に、ケース内に装填する水吸収性材料が、ゴルフボールの表面に付着した草汁の汚れも容易に磨き落とすことができるメラミンウレタン樹脂を素材とした軟質フォームで構成されたものである。
【実施例１】
【００１３】
図１は本考案に係るゴルフボール拭き具の一例を示す斜視図、図２はその使用状態を示す断面図であって、そのゴルフボール拭き具１は、一般的なスポンジや、あるいは洗剤を使用せずに水のみでしつこい草汁の汚れも磨き落とすことができるメラミンウレタン樹脂を素材とした軟質フォーム（以下、メラミンフォームという。）等で成る水吸収性材料２を装填するケース３と、ゴルフボールＧを半球分より小さい表面積だけケース３内に突出させる穴５を設けた受座４とを備えている。
【００１４】
ケース３と受座４は、プラスチックで一体成形されて、受座４は、ケース３の開閉蓋となっている。つまり、受座４は、その片端側がケース３とヒンジ部６で連結されると共に、その他端側にケース３の突片部７に掛け止めるフック部８が設けられて、ケース３の開閉蓋を成しており、それによって、ケース３内に水吸収性材料２を容易に装填することができ、ケース３内に装填した水吸収性材料２を容易に取り出して汚れを洗浄したり、裏表を逆にするように入れ替えて使ったり、あるいは新品と交換することができるようになっている。また、受座４の穴５は、その穴５に押し当てたゴルフボールＧを指先で摘んで円滑に回転させることができるように、ゴルフボールＧの直径よりも数ミリ程度小さい直径を有した円形穴で形成されている。
【００１５】
しかして、ゴルフボール拭き具１を使用するときは、ケース３内に装填したメラミンフォーム等の水吸収性材料２に水を含浸させて、開閉蓋となる受座４を閉じた状態とし、その状態で図２の如くゴルフボールＧを受座４の穴５に押し当てて、ゴルフボールＧを指先で全方位方向に回転させる。
【００１６】
これにより、ゴルフボールＧの表面に付着した泥汚れ等が、水吸収性材料２によって拭き取られると同時に、受座４に設けられた穴５の縁によって土の塊やゴミなどもこさぎ取られて、ゴルフボールＧの表面に付着した汚れが確実に除去される。特に、水吸収性材料２としてメラミンフォームを用いれば、ゴルフボールＧを指先で回転させながらその水吸収性材料２に軽く擦り付けるだけでゴルフボールＧの表面に付着したしつこい草汁の汚れも確実に磨き落とすことができる。
【００１７】
また、受座４に設けられた穴５に押し当てて指先で回転させるゴルフボールＧは、その受座４によってケース３内に収容された水吸収性材料２に対して一定以上強く押し当てることができないように規制されるので、水を含浸した水吸収性材料２から多量の水が搾り出されることがない。したがって、ゴルフボールＧの表面や指先がプレイに支障を来たすほど水濡れしたり、水吸収性材料２に含浸させた水がケース３内から溢れ出て衣服等が濡れるおそれがない。また、メラミンフォームで成る水吸収性材料２は、保水性が著しく高いので、本例のゴルフボール拭き具１を洋服のポケットに入れて持ち歩いてもそのポケットを濡らすおそれが少ない。
【図面の簡単な説明】
【００１８】
【図１】本発明に係るゴルフボール拭き具の一例を示す斜視図
【図２】本発明に係るゴルフボール拭き具の使用状態を示す断面図
【符号の説明】
【００１９】
　Ｇ　　ゴルフボール
　１　　ゴルフボール拭き具
　２　　水吸収性材料
　３　　ケース
　４　　受座
　５　　穴
　
【図１】
0003100058.tif 000003
【図２】
0003100058.tif 000004